(57)【要約】【課題】バスダクトの接続部の構造の複雑化を伴うことなく、製造も容易でかつ分岐のための接続も簡単に行うことのできるバスダクト分岐構造を得ること。【解決手段】同相の導体１２の両外側に重ね合わされる平板状の分岐用導電性部材１４が配され、該分岐用導電性部材１４は、バスダクト１０の接続が為された状態で該分岐用導電性部材１４の端縁部に分岐側接続端子２０を狭持可能なクリップ部が形成される構成を備えている。すなわち、バスダクトの通常の接続部における接続作業を行うことだけで分岐側の接続部材である接続端子を挟持するためのクリップ構造が得られる構成を有している。【選択図】  図２
2004274940.tif 000002
【特許請求の範囲】
【請求項１】
互いのバスダクトに装填された同相導体の端部同士を電気的に接続するバスダクト接続部において分岐側との接続を行うバスダクト分岐構造において、
前記接続部には、相互に重ね合わされ又は相互に突き合わされた同相の導体の両外側に平板状の分岐用導電性部材が配置され、
前記分岐用導電性部材は、前記バスダクトの接続が為された状態で該分岐用導電性部材の端縁部に分岐側接続端子を狭持可能なクリップ部が形成される構成を具えたことを特徴とするバスダクト分岐構造。
【請求項２】
互いのバスダクトに装填された同相導体の端部を突き合わせ、該突き合わされた同相導体の両外側にまたがるように接続用導電性部材を配置して前記同相導体を電気的に接続するバスダクト接続部における分岐側との接続を行うバスダクト分岐構造において、
前記接続用導電性部材の両外側に平板状の分岐用導電性部材が配置され、
前記分岐用導電性部材は、前記バスダクトの接続が為された状態で該分岐用導電性部材の端縁部に分岐側接続端子を狭持可能なクリップ部が形成される構成を具えたことを特徴とするバスダクト分岐構造。
【請求項３】
前記分岐用導電性部材の端縁部に形成されるクリップ部は、
前記同相の導体の両外側にそれぞれ配置された１対の分岐用導電性部材の端縁部をそれぞれ対向する分岐用導電性部材側に曲げ、曲げられた部分相互間にて前記分岐側接続端子を狭持する構成とされたことを特徴とする請求項１又は２の何れかに記載のバスダクト分岐構造。
【請求項４】
前記分岐用導電性部材のクリップ部は、
接続された同相導体に隣接する接続された同相導体の間に設けられるプレート状の絶縁セパレータの突出した端縁部相互間の空間に位置するように配置されることを特徴とする請求項１から３の何れかに記載のバスダクト分岐構造。
【請求項５】
前記分岐側接続端子は、
１枚のプレート状部材にて形成されたことを特徴とする請求項１から４の何れかに記載のバスダクト分岐構造。
【発明の詳細な説明】
【０００１】
【発明の属する技術分野】
本発明はバスダクト分岐構造、特に、互いのバスダクトに装填された同相導体の端部同士を電気的に接続するバスダクト接続部において分岐側との接続を行うバスダクト分岐構造に関する。
【０００２】
【従来の技術】
バスダクトの接続の方式としては、装填されている導体を相互に突き合わせた状態で接続するいわゆる突き合わせ方式と導体相互を重ね合わせて接続するいわゆる重ね合わせ方式が存する。突き合わせ方式は、接続されるそれぞれの同相導体が、接続方向正面の対向する位置に所定間隔をもって突き合わされ、それら双方の導体の電気的接続を、それら突き合わされた導体端部の両外側面にまたがるようにあて板状の接続用導電性部材を当接設置することにより行っている。なお、かかる接続用導電性部材の相互間及び最も外側の接続用導電性部材とバスダクトハウジングの内壁面との間には、それぞれ絶縁セパレータが設けられている。
【０００３】
また、重ね合わせ方式では、接続されるバスダクトの同相導体の端部が互いに重なり合うようにシフトされ、直接重なり合った状態にて接続されるものである。なお、重ね合わされた導体相互間及び最も外側の導体とバスダクトハウジングの内壁面との間には、絶縁セパレータがそれぞれ設けられている。
【０００４】
この様に接続されるバスダクトにおいては、電源の設置を行うためバスダクト幹線から分岐する分岐ラインを形成する必要がある。このバスダクトからの分岐は、バスダクトの中間部分や上述した接続の行われている接続部において行われる。
【０００５】
従来のバスダクト分岐構造である特許文献１に記載された技術は、突き合わせ式の接続部において分岐を行うものであり、絶縁セパレータの外側に接続用導電部材が配置され、接続される同相導体を両側から挟むように設置されている。したがって、この接続用導電性部材相互間には挟まれている同相導体の厚さだけ間隙が形成されている。
【０００６】
一方、分岐側の接続部材は、２枚の導体を重ね合わせて分岐用端子を製作しており、先端部近傍は、バネ性を附与するため膨らみを持たせるように屈曲されて形成されている。そして、この分岐用端子を上述の接続用導電性部材間に差し込むことによって分岐のための接続が行われるものである。
【０００７】
次ぎに、特許文献２には、接続すべき導体端部の両面に接触面より大きな面積を有する接続用導電性部材を当設させこの接続用導電性部材の当設されていない部分の一部または全体を互いに略当設させることにより、その部分が分岐用端子として用いられるようにした構造が示されている。
【０００８】
また、特許文献３には、突き合わせ式の接続構造において、接続用導電性部材の端縁部を曲げて当設させ分岐側の接続部材に対する接続端子として機能させるようにした構成が示されている。
【０００９】
特許文献４には、同じく突き合わせ式の接続構造において、接続用導電性部材を取り付け状態においてバスダクトの伸長方向に直交する方向に突出する長い板状に形成し、バスダクトハウジングの外方へ突出した部分をバスダクト側の分岐用端子として構成した例が開示されている。
【００１０】
更に、特許文献５には、バスダクトの途中位置（接続部ではない箇所）において分岐構造を形成した例が示されている。この例では、ハウジング内の導体の一方の側端側を各導体間に間隔が形成されるように曲げ、更に、その曲げた端部側の被覆部材を一部除去し、露出した導体の端縁部にクリップ構造を形成している。このクリップ構造は、導体の両側面に一対の屈曲された部材をボルトにより取り付けて構成している。この取り付けられた屈曲部材相互間に分岐側の端子を差し込んで接続できる構成としている。
【００１１】
【特許文献１】
特公昭４９−４４３８７号
【特許文献２】
特公昭４９−４４３８８号
【特許文献３】
特公昭５０−３０２７８号
【特許文献４】
実開平７−１１８３４号
【特許文献５】
実公昭５０−２９７５７号
【００１２】
【発明が解決しようとする課題】
しかしながら、上記特許文献１の技術では、バスダクト側ではなく分岐側の接続部においてその端部に弾発性を有する構造部を形成する必要があるので、分岐側端子の形成について工程数の増加やコストアップの不具合が存在していた。またこの特許文献１構造の場合、分岐側の接続端子部の被覆されていない露出領域を大きいので、バスダクト側の絶縁部材を接続すべき導体に対して必要なサイズよりも大きく取る必要が生じている。
【００１３】
上記特許文献２及び３に係る技術では、バスダクト側の接続用導体性部材に対する曲げ工程に加えて分岐側の接続部材に対しての弾発性を持たせるための工程が必要となり工程の増加及びコストアップにつながるという同様の不具合があった。
【００１４】
また、上記特許文献１から３に係る技術では、分岐側の接続部の構成を比較的長いものとして構成する必要があることから接続作業時などにおける衝突により分岐側接続端子が曲がってしまう状況もあった。
【００１５】
次に、特許文献４に開示された技術では、分岐用端子板が、バスダクトハウジングから大きく突出した構成となり分岐作業を行わないバスダクトの接続部においては非常に邪魔になるという事情があり、また分岐の必要に応じてこの分岐構造をその度に形成する場合、分岐の作業の煩雑性が増加するという事情がある。
特許文献５に係る技術では、本件発明と同様にバスダクト側にいわゆるクリップ構造を形成しているが、その構造は複雑である。まず、導体の被覆部材を除去するという好ましくない構成が生じ、更に、クリップ部を形成するための導体へのボルトによるクリップ部材の取付などの極めて煩雑な作業が増加し、また、そのクリップ部の周囲に絶縁性部材を追加して配置する必要も生じている。
【００１６】
この技術はバスダクトの接続部ではなく中間部に形成することを想定しているので、予めこのような分岐のための構造を各中間部に形成することは極めて困難でありもし行う場合にはコスト上昇につながることとなる。
【００１７】
本発明は上記事情に鑑みてなされたものであり、その目的は、バスダクトの接続部における分岐のための構造を接続部の構造の複雑化を伴うことなく、製造も容易でかつ分岐のための接続も簡単に行うことのできるバスダクト分岐構造を提供することにある。
【００１８】
【課題を解決するための手段】
上記目的を達成するため、請求項１に係るバスダクト分岐構造は、
同相の導体の両外側に平板状の分岐用導電性部材が配され、該分岐用導電性部材は、バスダクトの接続が為された状態で該分岐用導電性部材の端縁部に分岐側接続端子を狭持可能なクリップ部が形成される構成を備えている。
【００１９】
すなわち、バスダクトの通常の接続部における接続作業を行うことだけで分岐側の接続部材である接続端子を挟持するためのクリップ構造が得られる構成を有している。例えば、予め成形した分岐用導電性部材を同相導体の両外側に配置した状態でバスダクトの接続作業を行うことだけでバスダクト側にクリップ構造が的確に形成されるものである。従って、分岐側の接続端子はこのクリップ部に差し込むことのできるシンプルな構造とすることができる。
【００２０】
請求項２に係るバスダクト分岐構造は、
突き合わせ形式でバスダクトの接続を行う接続部にて分岐側との接続を行うバスダクト分岐構造を対象とし、接続用導電性部材に加えて更にその両外側に平板状の分岐用導電性部材が配置され、該分岐用導電性部材は、前記バスダクトの接続が為された状態で該分岐用導電性部材の端縁部に分岐側接続端子を狭持可能なクリップ部が形成される構成を備えている。
【００２１】
これにより、突き合わせ式の接続部において必須の構成要素である接続用導電性部材の外側に分岐用導電性部材を配するようにしているので、この分岐用導電性部材は分岐側の端子を狭持するために最低必要な強度を有すれば足りるので、接続用導電性部材を分岐用導電性部材として兼用する構造に比べ分岐用導電性部材を薄い構造とすることができ、クリップ部の構成のための作業もより容易なものとなる。
【００２２】
請求項３に係るバスダクト分岐構造は、
前記分岐用導電性部材の端縁部に形成されるクリップ部が、前記同相の導体の両外側にそれぞれ配置された１対の分岐用導電性部材の端縁部をそれぞれ対向する分岐用導電性部材側に曲げ、曲げられた部分相互間にて前記分岐側接続端子を挟持する構成とされている。
【００２３】
これにより、クリップ部の形成が簡単な構成により得られている。すなわち、分岐用導電性部材の端縁部を予め一方側に曲げておき、そのまま導体の両外側あるいは接続用導電性部材の両外側に配置しておくだけで通常のバスダクトの接続作業が終了した時には所定位置にクリップ部が形成された状態が得られている。
【００２４】
請求項４に係るバスダクト分岐構造は、
前記分岐用導電性部材のクリップ部が、接続された同相導体に隣接する接続された同相導体の間に設けられるプレート状の絶縁セパレータの突出した端縁部相互間の空間に位置するように配置されている。これにより、分岐のための接続部の周囲に別途絶縁性部材を配設する必要がなく、バスダクト接続部の構造の複雑化が回避されている。
【００２５】
請求項５に係るバスダクト分岐構造は、
前記分岐側接続端子が、１枚のプレート部材にて形成されている。これにより、分岐側接続端子が極めてシンプルな構成とされるので、製造の容易かコストの低減が図られる。
【００２６】
【実施例の形態】
以下、図面に基づいて本発明の実施の形態について詳細に説明する。図１は本発明の第１の実施の形態を示しており、同図（Ａ）は正面図、同図（Ｂ）は平面図、（Ｃ）は側断面図である。
【００２７】
図１に示したバスダクト１０は、オフィスビルなどで電気幹線路を構成するものであり、３本の絶縁被覆導体１２−１、１２−２、１２−３が内部に密着並設されて装填されている。図示された部分は、バスダクト１０−１と１０−２の接続部であり、図示のように各導体１２の被覆層を除去した部分１３相互を重ね合わせた状態で接続する構造が示されている。なお、同図において一点鎖線１００で示された部分は接続部におけるバスダクトハウジングのカバー部材であり、同じく一点鎖線２００で示された部分は、そのカバー部材１００に形成された開口部である。
【００２８】
同図（Ｃ）から理解されるように、接続されるべき導体１２はそれぞれ重ね合わされており、その両外側には、本発明の特徴的構成事項である分岐用導電性部材１４が配置されている。そして、更にこの両外側面には絶縁セパレータ１６が配置されている。絶縁セパレータ１６は両外側の接続用導電性部材１４とハウジング側壁との間にもそれぞれ配置されている。
【００２９】
本実施の形態において特徴的なことは、分岐用導電性部材１４の両側端部が互いに対向する分岐用導電性部材１４側に屈曲され、このバスダクトの接続部を締結する締結部材３００による締結作業が終了した時点ではそれぞれの分岐用接続部材１４の両側の端縁部にはそれぞれ対向する対となる分岐用導電性部材１４との協同構成により分岐側の端子を挟持することのできるクリップ部が構成されている。
【００３０】
このように、本実施の形態によれば、分岐用導電性部材１４の両側の端縁部を予めクリップ形成のために屈曲させた構成としておき、それらを導体１２と絶縁セパレータ１６との間に配置しておくことだけで通常の締結動作を行った後にはクリップ部が形成される。これにより分岐側の端子を差し込み可能なクリップ部を有するバスダクトが完成する。
【００３１】
図２は、図１に示した実施の形態に係るバスダクト側の分岐構造に対して分岐側の接続部材が接続される状況が示されている。図示のように、分岐側のプラグイン器具１８には３個の分岐側接続端子２０が形成され、これを図上下降動作することにより同図（Ｂ）に示したように分岐用導電性部材１４の端部に形成されたクリップ部に３個同時に差し込まれる状態が示されている。
【００３２】
図示のように、分岐側接続端子２０の構成は、分岐用導電性部材１４の端部に形成されたクリップ部に差し込むことのできる構成であれば足り、極めてシンプルな構成とすることができる。例えば、１枚の導電性を有する部材のみで構成することができる。これにより、上記従来の技術としてあげた特許文献１，２の様に分岐側接続端子を２枚の導電性部材により構成した場合に生じる種々の問題が解消されている。すなわち、絶縁のための処理の煩雑さや処理後に絶縁物が上記２枚の導電性部材に挟まって破ける等の不具合が解消されている。
【００３３】
また、この分岐用導電性部材１４に形成されたクリップ部と分岐側接続端子２０との接続部分は、その両側に絶縁セパレータ１６が存在しており、すなわち絶縁セパレータにより絶縁された領域内で分岐のための接続が行われる状態が確保されており、別途絶縁のための構成を付加する必要がない。従って、分岐側接続端子２０は、分岐用導電性部材１４に形成されたクリップ部に届く長さ及びそのクリップ部に差し込む部分を露出した構成という条件で製造されることとなる。
【００３４】
図３は、他の実施の形態を示しており、同図（Ａ）は正面図、（Ｂ）は平面図、（Ｃ）は側断面図を示している。図において、図１と同様の構成部材には同一の符号を付しその説明を省略する。
【００３５】
本実施の形態は、接続部を締結方式が図１の接続部の方式とは異なっており、締結部材が図１の構成のようにバスダクトのほぼ中央位置一カ所のみに配されている構成ではなく、バスダクト１０の側面の両側端近傍位置の２カ所で締結部材３００−１と３００−２により締結する構成をとっている。従って、同図（Ａ）及び（Ｂ）から理解されるように、分岐用導電性部材１４によって形成されるクリップ部は、締結部材３００−１及び３００−２を中心としてその両側に所定範囲で形成されている。このクリップ部に分岐側の接続端子が差し込まれて接続されるという構成は図１の場合と同様である。すなわち、同図に示されたように２つのクリップ部１４−１及び１４−２の領域が形成されている。
【００３６】
図４は、更に他の実施の形態を示しており、同図（Ａ）は正面図、（Ｂ）は平面図、（Ｃ）は側断面図である。図において上記各実施の形態と同様の要素には同一の符号を付しその説明を省略する。
【００３７】
この実施の形態に係る接続部は、いわゆる突き合わせ式の接続構造をとっている。突き合わせ式の接続を行う場合、それぞれ突き合わされた同相導体の端部を接続するためにいわゆる当て板として配置される接続用導電性部材が必須の構成要素となる。すなわち、接続用導電性部材は突き合わされた同相導体１２の端部の側面にそれぞれ同時にまたがって当設されるように配置されるものであるが、本実施の形態では、このような接続用導電性部材を分岐用導電性部材１４として用いている。
【００３８】
図から理解されるように、接続されるべき導体１２の両外側には接続用導電性部材を兼ねた平板状の分岐用導電性部材１４が配置されている。この分岐用導電性部材１４は図１の実施の形態で示したものと同様に導体１２の両外側に配置されそれぞれ対となる対向する分岐用導電性部材１４側に端縁部が曲げられて構成されている。そして、締結部材３００によりこの接続部の締結がなされた時点では、それぞれ導体１２と絶縁セパレータ１６に挟まれて重ね合わされた分岐用導電性部材１４の対によりそれらの端縁部にはクリップ部が協同形成されている。
【００３９】
このように、本実施の形態によれば、突き合わせ式の接続構造においてこれまでの接続のための構成要素の点数を増加させることなく、かつ接続部の厚さを増加させることなく簡単にバスダクト１０側に分岐側接続端子を受け入れるクリップ部を構成することができる。またこのクリップ部の形成も通常の締結部材３００による締結作業を行うことだけで自動的に形成されるものである。本実施の形態に係る分岐用導電性部材１４は、突き合わされた同相導体相互の接続という機能と分岐のためのクリップ部の構成という２つの機能を同時に奏している。
【００４０】
図５は、本発明において種々選択可能なクリップ部の種々の形態例を示している。同図（Ａ）に示されたクリップ部は、分岐用導電性部材１４の端縁部を対向する分岐用導電性部材１４側に所定角度曲げさらに端部を曲げ戻して分岐側接続端子を挿入し易い構成としたものである。
【００４１】
同図（Ｂ）に示されたクリップ部は、分岐用導電性部材１４の端縁部をそれぞれ対向する分岐用導電性部材側に所定角度曲げただけの製造容易なシンプルな構成例が示されている。
【００４２】
同図（Ｃ）に示されたクリップ部は、それぞれ別体の分岐用導電性部材１４に対として用いるものではなく一体形にした構成である。従って、図示されたように側面視枠状に形成され接続すべき導体１２はその中に挿通された状態となる。そして、クリップ部はその一体形分岐用導電性部材の側端部に凹部１４ａを形成することにより構成されている。
【００４３】
同図（Ｄ）に示されたクリップ部の構成は、分岐用導電性部材１４の端縁部を対向する分岐用導電性部材１４側に半円状に突出させた突出部１４ｂを形成しそれら突出部１４ｂ間に分岐側端子を挿入可能としたクリップ部の構造である。
【００４４】
図６は、更に他の実施の形態を示している。本実施の形態は突き合わせ式の接続構造における適用例であり、同図（Ａ）に示されたように突き合わせた状態で接続される導体１２の両外側面には所定厚さを有する接続用導電性部材２２が配置されている。そして、更にこの両外側に分岐のためのクリップ部を構成する部材として分岐用導電性部材２４が配置されている。この分岐用導電性部材２４の端縁部に形成されるクリップ部の構成は上述した各実施の形態と同様でありその説明を省略する。
【００４５】
本実施の形態によれば、導体１２相互を接続するための部材としては通常用いられる接続用導電性部材２２が設置されている。従って、更にその両外側に配置される分岐用導電性部材２４は幹線となる導体を接続するための構造体ではなく、分岐のための接続のみの機能であるので、その厚さ等を薄くすることが可能となる。従って、クリップ部の形成も接続用の導電性部材を兼ねる場合に比べより容易に行うことが可能となる。
【００４６】
同図（Ｂ）に示した構成は、接続用導電性部材２２に加えて設けられる分岐用導電性部材２６の構成をより小型のものとした構成であり、図示のように接続用導電性部材２２と絶縁セパレータ１６との間に部分的に重ね合わせるようにしたものである。本実施の形態では、絶縁セパレータ１６の一部に切り欠き部１６ａを形成しこの部分に分岐用導電性部材２６を挟み込む構成をとっている。本実施の形態によれば、分岐用導電性部材２６の小型化を達成することができ、また予め切り欠き部１６ａを構成しておくことにより事後的に接着剤等を用いて分岐用導電性部材２６を組み込むことも可能となる。
【００４７】
なお、図示したようにクリップ部は分岐用導電性部材１４の両側の端縁部にそれぞれ形成されているので、バスダクトの上下如何にかかわらず分岐のための接続を行うことができる。
【００４８】
本発明は、上記各実施の形態に示された構成に限定されるものではなく、発明の要旨の範囲内で種々の変形が可能である。例えば、上記各実施の形態では分岐用導電性部材の両側の端縁部にそれぞれクリップ部を形成する例を示したがそれぞれ一方側の端縁部にのみ形成することも可能である。また、上述のように分岐用導電性部材は一対の構成に限らず一体形とすることも可能であり、更にクリップ部を形成するための形状は種々のものを用いることが可能であることは勿論である。
【００４９】
【発明の効果】
以上説明したように、本発明に係るバスダクトの分岐構造によれば、バスダクトの接続部において接続部の構造の複雑化や接続作業の煩雑化を伴うことなく簡単な構成によりバスダクトハウジング側に分岐のための接続構造を形成することができ、分岐側の接続部の構造も簡単な構造とすることができる。
【図面の簡単な説明】
【図１】本発明のバスダクトの分岐構造の実施の形態を示しており、（Ａ）は正面図、（Ｂ）は平面図、（Ｃ）は側断面図である。
【図２】図１に係る実施の形態の分岐のための接続動作を示す説明図である。（Ａ）は接続前の状態、（Ｂ）は接続した状態がそれぞれ示されている。
【図３】本発明に係るバスダクトの分岐構造の他の実施の形態を示しており、（Ａ）は正面図、（Ｂ）は平面図、（Ｃ）は側断面図である。
【図４】バスダクト等の突き合わせ式の接続構造に関する本発明の実施の形態を示しており、（Ａ）は正面図、（Ｂ）は平面図、（Ｃ）は側断面図である。
【図５】（Ａ）〜（Ｄ）は、それぞれバスダクト等重ね合わせ式の接続構造における分岐用導電性部材によるクリップ部の種々の構成例を示している。
【図６】（Ａ）〜（Ｂ）は突き合わせ式の接続構造に適用される他の実施の形態をそれぞれ示している。
【符号】
１０  バスダクト
１２  導体
１４、２４、２６  分岐用導電性部材
１６  絶縁セパレータ
１００  バスダクトハウジングのカバー部材
２００  開口部
３００  締結部材
【図１】
2004274940.tif 000003
【図２】
2004274940.tif 000004
【図３】
2004274940.tif 000005
【図４】
2004274940.tif 000006
【図５】
2004274940.tif 000007
【図６】
2004274940.tif 000008